(57)【特許請求の範囲】
【請求項１】
原液と水の量の比を１：ｎ（ｎは整数）の割合で混合して生成された希釈液を溜めるタンクと、
目標の液体量に対応する目標目盛を含んだ目盛を有し、前記タンクに溜められた液体に浮かぶ材料で構成されたフロートと前記目盛との位置関係で前記液体量を計測する液体量計と、
を備える装置に用いられる希釈用スケールであって、
一方端が前記目標目盛に位置し他方端が前記フロートに位置するように長手方向に沿って均等に伸縮可能であり、前記長手方向の長さが（ｎ＋１）等分に分かれるように記された目盛を有する伸縮部を備え、前記一方端が前記目標目盛に位置し且つ前記他方端が前記フロートに位置するように伸縮させた状態で前記装置に着脱可能に固定するための固定部が前記伸縮部の前記一方端及び前記他方端に設けられている、ことを特徴とする希釈用スケール。
【請求項２】
請求項１に記載の希釈用スケールにおいて、
前記固定部は、
前記装置に取り付け可能な挟持部材を含んで構成されることを特徴とする希釈用スケール。
【請求項３】
請求項１に記載の希釈用スケールにおいて、
前記固定部は、
前記装置に対して張り付くことが可能な吸盤を含んで構成されることを特徴とする希釈用スケール。
【請求項４】
請求項１に記載の希釈用スケールにおいて、
前記固定部は、
前記装置に設けられる金属部にくっつくことが可能な磁石を含んで構成されることを特徴とする希釈用スケール。
【請求項５】
請求項１〜請求項４のいずれか１項に記載の希釈用スケールにおいて、
前記伸縮部は、ゴム部材で構成されることを特徴とする希釈用スケール。
【発明の詳細な説明】
【技術分野】
【０００１】
本発明は、希釈用スケールに関する。
【背景技術】
【０００２】
現在、商業施設等に設置されているトイレ等の洗浄等には雑用水が用いられている。そして、雑用水は塩素滅菌装置によって滅菌されている。
【０００３】
本発明に関連する技術として、例えば、特許文献１には、薬剤を供給する薬剤供給管および希釈液を供給する希釈液供給管に接続されている、上記薬剤を希釈液によって１次希釈液に希釈する第１の希釈容器と、上記第１の希釈容器に接続されて上記１次希釈液を供給する１次希釈液供給管、および上記希釈液供給管から引き出される希釈液供給管、もしくは上記希釈液供給管とは異なる他の希釈液供給管に接続されている、上記１次希釈液を希釈液によって２次希釈液に希釈する第２の希釈容器とを備える希釈装置が開示されている。
【先行技術文献】
【特許文献】
【０００４】
【特許文献１】特開２０１０−２６４４１２号公報
【発明の概要】
【発明が解決しようとする課題】
【０００５】
ところで、塩素滅菌装置のタンクには、次亜塩素酸に水道水等を１：４の比で混ぜて形成された５倍希釈液を補充することで、適切な液体量を保つ必要がある。ここで、希釈液は、次亜塩素酸が保存された大容量の容器から補充のために必要な量の次亜塩素酸を取り出すために、一旦計量容器に移し替えた後で、これに対応する量の水道水を混ぜることで生成される。このようにして生成された希釈液をさらに塩素滅菌装置のタンク内に移し替えるという作業が必要であるため不便である。
【０００６】
本発明の目的は、より簡単に希釈液を補充することを可能とする希釈用スケールを提供することである。
【課題を解決するための手段】
【０００７】
本発明に係る希釈用スケールは、原液と水の量の比を１：ｎ（ｎは整数）の割合で混合して生成された希釈液を溜めるタンクと、目標の液体量に対応する目標目盛を含んだ目盛を有し、前記タンクに溜められた液体に浮かぶ材料で構成されたフロートと前記目盛との位置関係で前記液体量を計測する液体量計と、を備える装置に用いられる希釈用スケールであって、一方端が前記目標目盛に位置し他方端が前記フロートに位置するように長手方向に沿って均等に伸縮可能であり、前記長手方向の長さが（ｎ＋１）等分に分かれるように記された目盛を有する伸縮部を備え、前記一方端が前記目標目盛に位置し且つ前記他方端が前記フロートに位置するように伸縮させた状態で前記装置に着脱可能に固定するための固定部が前記伸縮部の前記一方端及び前記他方端に設けられている、ことを特徴とする。
【０００９】
また、本発明に係る希釈用スケールにおいて、前記固定部は、前記装置に取り付け可能な挟持部材を含んで構成されることが好ましい。
【００１０】
また、本発明に係る希釈用スケールにおいて、前記固定部は、前記装置に対して張り付くことが可能な吸盤を含んで構成されることが好ましい。
【００１１】
また、本発明に係る希釈用スケールにおいて、前記固定部は、前記装置に設けられる金属部にくっつくことが可能な磁石を含んで構成されることが好ましい。
【００１２】
また、本発明に係る希釈用スケールにおいて、前記伸縮部は、ゴム部材で構成されることが好ましい。
【発明の効果】
【００１３】
本発明によれば、より簡単に希釈液を補充することができる。
【図面の簡単な説明】
【００１４】
【図１】本発明に係る実施の形態において、希釈用スケールが用いられる塩素滅菌装置を示す図である。
【図２】本発明に係る実施の形態において、塩素滅菌装置のタンクを示す図である。
【図３】本発明に係る実施の形態において、希釈用スケールが伸縮する様子を示す図である。
【図４】本発明に係る実施の形態において、希釈用スケールが伸縮する様子を示す図である。
【図５】本発明に係る実施の形態において、希釈用スケールが伸縮する様子を示す図である。
【発明を実施するための形態】
【００１５】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１６】
図１は、希釈用スケール１０が用いられる塩素滅菌装置１００を示す図である。図２は、塩素滅菌装置１００のタンク１０２の拡大図である。塩素滅菌装置１００は、その内部に次亜塩素酸と水の量の比を１：４の割合で混合して生成される希釈液を溜めるタンク１０２を有している。タンク１０２に溜まった希釈液が少ない場合には、塩素滅菌装置１００の天井部に設けられた蓋１０４を開けて、希釈液をタンク１０２内部に補充することができる。また、塩素滅菌装置１００は、この希釈液を用い、入力側の配管１０６から流入される雑用水を滅菌して、出力側の配管１０８により排出する装置である。ここで、塩素滅菌装置１００は、例えば、商業施設等に設置され、トイレ用水等の雑用水に含まれる菌を滅菌する役割を担っている。
【００１７】
また、タンク１０２には、タンク１０２内の希釈液の液面の高さに応じて移動するフロート１１０と、フロート１１０の上記移動を案内するために、上下部が開口し内部に空洞を有する筒部１１２とを有する。なお、タンク１０２及び筒部１１２は、適当な強度を有する透明性の部材で構成されている。また、フロート１１０は、希釈液に浮かぶ材料で構成されており、外部から見やすい色、例えば、赤色の色がその表面に施されている。
【００１８】
また、塩素滅菌装置１００の側面には、タンク１０２の筒部１１２が設けられる位置に対応する位置にスリット状の窓部１１４が形成されている。そして、窓部１１４の右横には、図１で示されるように、目盛が付されている。ここで、上述したように窓部１１４は筒部１１２が設けられる位置に対応して形成されているスリットを有するため、塩素滅菌装置１００の外側から筒部１１２の内部を移動するフロート１１０の動きを確認することができる。これにより、塩素滅菌装置１００の保守等を担当する保守作業員は、フロート１１０の位置と窓部１１４の横に記された目盛との位置関係でタンク１０２に溜まった希釈液の液体量を計測することができる。すなわち、筒部１１２とフロート１１０と窓部１１４と窓部１１４の横に記された目盛がタンク１０２に溜められた希釈液の液体量を計測する液体量計として機能する。
【００１９】
なお、塩素滅菌装置１００の側面は、適当な強度を有する金属、例えば、鉄を用いて構成されている。
【００２０】
次に、塩素滅菌装置１００のタンク１０２に希釈液を補充する際に用いられる希釈用スケール１０について説明する。希釈用スケール１０は、伸縮部１２と固定部１４ａ，１４ｂとを備える。図３は、希釈用スケール１０が伸縮する様子を示す図である。
【００２１】
伸縮部１２は、第１の長さから第２の長さまで伸縮可能なゴム部材である。ここで、第１の長さは、例えば、３０センチメートルであり、第２の長さは、９０センチメートルである。すなわち、伸縮部１２は、３倍程度伸びることが可能な部材である。そして、伸縮部１２は、その長手方向の長さが５等分に分かれるように目盛１５ａ，１５ｂ，１５ｃ，１５ｄが記されている。これにより、伸縮部１２は、５つの領域１６ａ，１６ｂ，１６ｃ，１６ｄ，１６ｅに分けられる。そして、伸縮部１２は、長手方向に沿った両端から均一な力を加えて引っ張ると、長手方向に沿って均等に伸びるため、５つの領域１６ａ〜１６ｅは、それぞれ均等な長さの関係を保ったまま伸びる。
【００２２】
固定部１４ａ，１４ｂは、伸縮部１２の長手方向に沿った両端に取り付けられる固定部材である。固定部１４ａ，１４ｂは、弾性力のある部材、例えばゴム部材等で構成され、皿のような形状をしている。そして、固定部１４ａ，１４ｂは、貼り付けの対象物である塩素滅菌装置１００の側面に皿を伏せる向きで押しつけ、皿をくぼませることで皿と塩素滅菌装置１００の側面との間の空気が抜けるが、皿の弾性により元の形状に戻ろうとする。そのため内部は気圧の低い状態（理想的には真空）になり、外の大気圧との差が生じて皿、すなわち固定部１４ａ，１４ｂが塩素滅菌装置１００の側面に張り付くことになる。
【００２３】
続いて、上記塩素滅菌装置１００のタンク１０２に希釈液を補充する際に、希釈用スケール１０を用いる効果について説明する。
【００２４】
上述したように、伸縮部１２は、長手方向に沿った両端から均一な力を加えて引っ張ると、長手方向に沿って均等に伸びる。したがって、保守作業員によって引っ張られていない状態では、図３の左図に示された状態であるが、保守作業員が固定部１４ａ，１４ｂを持って両端から均一な力を加えて引っ張ると、図３の右図に示されるように、５つの領域１６ａ〜１６ｅは、それぞれ均等な長さの関係を保ったまま伸びる。
【００２５】
そして、保守作業員は、塩素滅菌装置１００のタンク１０２に希釈液を補充する際に希釈用スケール１０を準備し、伸縮部１２の一方側の端部１２ａが目標の目盛に対応する位置となるように、固定部１４ａを吸着させる。ここでは、例えば、図１に示されるような「１００」を目標とする。そして、伸縮部１２の他方側の端部１２ｂがフロート１１０の位置に対応する位置となるように固定部１４ｂを吸着させる。この際、保守作業員は、目標の目盛とフロート１１０との位置関係に応じて、伸縮部１２の長さを調整しながら伸ばす必要がある。
【００２６】
次に、保守作業員は、塩素滅菌装置１００の天井部に設けられた蓋１０４を開けて、次亜塩素酸をタンク１０２内へと注ぐ。このとき、次亜塩素酸が伸縮部１２の領域１６ａに対応する分だけ注がれるようにする。すなわち、フロート１１０が目盛１５ａに対応する位置となるまで次亜塩素酸を注ぐ。
【００２７】
次いで、保守作業員は、蓋１０４から水道水をタンク１０２内へと注ぐ。このとき、次亜塩素酸が伸縮部１２の領域１６ｂから領域１６ｅに対応する分だけ注がれるようにする。すなわち、フロート１１０が伸縮部１２の端部１２ａに対応する位置となるまで水道水を注ぐ。
【００２８】
ここで、領域１６ａ〜領域１６ｅは、その長さが均等である。したがって、上述したように保守作業員が次亜塩素酸と水道水とを注ぐと、これらの量が１：４の比で混合されることとなる。すなわち、別途希釈液を生成するための計量用バケツ等を準備することなく、５倍希釈液を生成することができる。したがって、保守作業員は、塩素滅菌装置１００のタンク１０２に対し、より簡単に希釈液を補充することができる。
【００２９】
次に、希釈用スケール１０の第１変形例である希釈用スケール２０について説明する。図４は、希釈用スケール２０が伸縮する様子を示す図である。希釈用スケール２０と希釈用スケール１０とは伸縮部１２が同じであり、その相違点は固定部２４ａ，２４ｂだけである。固定部２４ａ，２４ｂは、固定部１４ａ，１４ｂのようにゴム部材で構成された吸着盤ではなく、鉄等の金属にくっつくことができる永久磁石で構成されている。このため、側面が鉄で構成された塩素滅菌装置１００の側面にくっつくことができる。したがって、保守作業員は、固定部２４ａ，２４ｂを持って伸縮部１２を引っ張って、必要な長さまで伸縮部１２を伸ばし、希釈用スケール２０を塩素滅菌装置１００に取り付けて、上記希釈用スケール１０を用いた場合と同様の手順で簡単に希釈液を補充することができる。
【００３０】
次に、希釈用スケール１０の第２変形例である希釈用スケール３０について説明する。図５は、希釈用スケール３０が伸縮する様子を示す図である。希釈用スケール３０と希釈用スケール１０とは伸縮部１２が同じであり、その相違点は固定部３４ａ，３４ｂだけである。固定部３４ａ，３４ｂは、固定部１４ａ，１４ｂのようにゴム部材で構成された吸着盤ではなく、突起部分に対して挟持することができるクリップ部材から構成されている。このため、塩素滅菌装置１００の窓部１１４あるいはその近辺に設けられた突起部に取り付けることができる。したがって、保守作業員は、固定部３４ａ，３４ｂを持って伸縮部１２を引っ張って、必要な長さまで伸縮部１２を伸ばし、希釈用スケール３０を塩素滅菌装置１００に取り付けて、上記希釈用スケール１０を用いた場合と同様の手順で簡単に希釈液を補充することができる。
【符号の説明】
【００３１】
１０，２０，３０  希釈用スケール、１２  伸縮部、１２ａ  端部、１２ｂ  端部、１４ａ，１４ｂ，２４ａ，２４ｂ，３４ａ，３４ｂ  固定部、１５ａ，１５ｂ，１５ｃ，１５ｄ  目盛、１６ａ，１６ｂ，１６ｃ，１６ｄ，１６ｅ  領域、１００  塩素滅菌装置、１０２  タンク、１０４  蓋、１０６，１０８  配管、１１０  フロート、１１２  筒部、１１４  窓部。
【図１】
0005822737.tif 000002
【図２】
0005822737.tif 000003
【図３】
0005822737.tif 000004
【図４】
0005822737.tif 000005
【図５】
0005822737.tif 000006